(57)【要約】【課題】            軸流式送風機の吸込口の前面を塞ぐ装飾パネルを有するものについて、静圧低下を招かず風量調整できる換気装置を得る。【解決手段】        隔壁を貫通する貫通孔２に設置され、軸流式送風機３を貫通孔２に装着される本体フレーム４に組付け、風洞５の室内側には主吸込口６と、主吸込口６の外周に続く平面部分を構成するフランジ７を有する換気装置について、フランジ７及び主吸込口６の前面を、所定の間隔の吸込口１５を四方向に形成する装飾パネル１２で覆い、装飾パネル１２の背面には、略円錐状の案内部材１６を主吸込口６の略中心に向って突出するように設け、案内部材１６の斜面部分を四方向に開口する吸込口１５に向って放射状に仕切る仕切板１８を設け、吸込口１５の少なくとも一方向のものを開閉できる可動シャッター２０を備える。【選択図】          図１
2008275192.tif 000002
【特許請求の範囲】
【請求項１】
室内外を仕切る隔壁を貫通する貫通孔に設置され、軸流式送風機を前記貫通孔に装着される本体フレームの風洞に組付け、前記風洞の室内側にはベルマウス状に拡開する主吸込口と、この主吸込口の外周に続く平面部分を構成するフランジを有する換気装置であって、前記フランジ及び前記主吸込口の前面を、所定の間隔の吸込口を四方向に形成する装飾パネルで覆い、この装飾パネルの背面には、略円錐状の案内部材を、前記装飾パネルの背面から連なる斜面部分に続く頂点部分が前記主吸込口の略中心に向って突出するように設け、この案内部材の前記斜面部分を四方向に開口する前記吸込口に向って放射状に仕切る仕切板を設け、四方向に開口する前記吸込口の少なくとも一方向の前記吸込口を開閉できるシャッターを備えた換気装置。
【請求項２】
請求項１に記載の換気装置であって、シャッターを、吸込口を閉止から開放までの間を位置保持可能に回動できるように構成した換気装置。
【請求項３】
請求項１又は請求項２のいずれかに記載の換気装置であって、装飾パネルは外周部に背面側に張り出すフランジ形状を持つ薄い箱形状で、その背面に案内部材と仕切板を一体成形した、外形が前記装飾パネルの外形寸法よりわずかに小さく形成した案内仕切部材を装着し、この案内仕切部材にシャッターを設けた換気装置。
【請求項４】
請求項２又は請求項３のいずれかに記載の換気装置であって、シャッターを四方向に開口する吸込口の全てに備えた換気装置。
【発明の詳細な説明】
【技術分野】
【０００１】
本発明は、室内外を仕切る隔壁を貫通する貫通孔に設置する換気装置に関するものである。
【背景技術】
【０００２】
室内外を仕切る隔壁を貫通する貫通孔に設置する換気装置としては、換気流を軸流式送風機により形成するものと、遠心式送風機により形成するものがある。居室の換気に供するものでは、室内意匠に鑑み吸込口の前面をパネルグリルで覆い、パネルグリルと吸込口のある本体との間から隔壁に沿って室内の空気を吸込むようにしている。この種の換気装置では吸込口付近で乱流が発生し送風性能が低下するため、パネルグリルの背面に円錐状の案内部材が設けられ、案内部材の斜面によって吸込口に吸込み気流を導き、乱流を防いでいる（特許文献１及び特許文献２参照）。
【０００３】
【特許文献１】特開平４−３２４０４５号公報
【特許文献２】実開平４−１３４９号公報
【発明の開示】
【発明が解決しようとする課題】
【０００４】
これらの内、軸流式送風機により構成される換気装置は、大風量が得易く広く普及している。しかし、軸流式送風機は本来静圧が低く、非常に小風量にすると静圧も低下し、例えば外風耐力が低下したり、室内の静圧変化により換気風量が変化したりするといった問題が起きる。こうした問題は、羽根車の外径の７０％ほどの内径を有するベルマウスを設けることにより、開放風量を同一にした場合、静圧が２倍以上に上昇し解消することができる。しかしながら、前記特許文献１の換気装置では、送風性能のうち、開放域から中風量域までは良好な特性を示すが、中風量域から全閉域にかけては静圧が前面に吸込み開口を有するものに比べ急激に低下する。この現象は、側面の開口部が小さくなればなるほど顕著に現れ、意匠性を重視し、室内側の突出寸法を小さくしたいということと相反する。また、高気密高断熱住宅における常時換気のための換気装置として、室に応じた風量で換気したい要望があるが、これに応じられる静圧低下を招かず風量調整できる換気装置は開発されていない。
【０００５】
本発明は、上記した問題点を解決するためになされたものであり、その課題とするところは、室内外を仕切る隔壁を貫通する貫通孔に設置する軸流式送風機による換気装置において、軸流式送風機の主吸込口の前面を塞ぐ装飾パネルを有するものについて、室内側の突出寸法を小さくしても、軸流式送風機の前面に吸込み開口を有するものと同等の送風性能を得ることができ、静圧低下を招かず風量調整できる換気装置を得ることである。
【課題を解決するための手段】
【０００６】
上記課題を解決するために本発明は、室内外を仕切る隔壁を貫通する貫通孔に設置され、軸流式送風機を貫通孔に装着される本体フレームの風洞に組付け、風洞の室内側にはベルマウス状に拡開する主吸込口と、主吸込口の外周に続く平面部分を構成するフランジを有する換気装置について、フランジ及び主吸込口の前面を、所定の間隔の吸込口を四方向に形成する装飾パネルで覆い、装飾パネルの背面には、略円錐状の案内部材を、装飾パネルの背面から連なる斜面部分に続く頂点部分が主吸込口の略中心に向って突出するように設け、案内部材の斜面部分を四方向に開口する吸込口に向って放射状に仕切る仕切板を設け、四方向に開口する吸込口の少なくとも一方向の吸込口を開閉できるシャッターを備える手段を採用する。
【発明の効果】
【０００７】
本発明によれば、四方向に開口する吸込口から吸込まれた室内の空気が仕切板により吸込み方向が統一されて案内部材の斜面部分に案内され、乱流を発生することなく風洞の主吸込口に均一化されて吸込まれることになり、装飾パネルの室内側の突出寸法を小さくしても軸流式送風機の前面に吸込み開口を有するものと同等の送風性能を得ることができ、シャッターによって吸込口を閉止することにより、静圧低下を招かず換気風量を調整することができる。
【発明を実施するための最良の形態】
【０００８】
本発明は、室内外を仕切る隔壁を貫通する貫通孔に設置されるもので、軸流式送風機を貫通孔に装着される本体フレームの風洞に組付けた換気装置である。風洞の室内側にはベルマウス状に拡開する主吸込口と、主吸込口の外周に続く平面部分を構成するフランジを有する。フランジ及び主吸込口の前面は、フランジに対向する装飾パネルで所定の間隔をもって覆われている。装飾パネルの周側部は室内の空気を取入れる四方向に開放する吸込口として室内に開放している。装飾パネルの背面には、三次元多孔質の合成樹脂よりなる略円錐状の案内部材が、装飾パネルの背面から連なる斜面部分に続く頂点部分が主吸込口の略中心に向って突出するように設けられている。案内部材にはその斜面部分を四方向に開口する吸込口に向って放射状に四つに仕切る仕切板が設けられている。仕切板の高さ寸法は、吸込口の軸方向寸法の１／２程度かそれより大きく構成され、案内部材の頂点部分より高さは低くなっている。四方向に開口する吸込口の少なくとも一方向（二方向〜四方向であっても良い）の吸込口を開閉できる可動シャッターが備えられている。
【０００９】
この換気装置では、可動シャッターを開放させ全ての吸込口を開放させた状態では、さまざまな方向から四方向に開放する吸込口へ室内の空気が導入される。導入された空気は、仕切板により四方向（上面、下面、左側面、右側面）に等分され、吸込み方向を統一されて案内部材の斜面部分に案内され、乱流を発生することなく風洞の主吸込口に均一化されて吸込まれる。これにより、装飾パネルの室内側の突出寸法を小さくしても軸流式送風機の前面に吸込み開口を有するものと同等の送風性能を得ることができる。
【００１０】
換気風量を少し抑えたい場合には、四方向に開口する吸込口の一つを可動シャッターで閉止する。更に換気風量を抑えたい場合には、四方向に開口する吸込口の二つを可動シャッターで閉止する。これにより、閉止されない吸込口へ室内の空気が導入される。導入された空気は、仕切板により三方向又は二方向に等分され、吸込み方向を統一されて案内部材の斜面部分に案内され、乱流を発生することなく風洞の主吸込口に均一化されて吸込まれる。これにより、静圧低下を招かず換気風量を調整することができ、常時換気を行う換気装置として部屋の広さや用途に応じた換気風量に調整できる利便性の良いものとなる。
【００１１】
実施の形態１．
図１は、本実施の形態の換気装置を取付け状態で示す縦断面図、図２は、同じく換気装置の分解斜視図、図３は、装飾パネルを示す分解斜視図、図４は、装飾パネルを示す背面視の分解斜視図、図５は、可動シャッター全開時の吸込口への吸込み空気の流れを示す斜視図、図６は、送風性能を他の換気装置と比較および仕切板の高さの影響を示す説明図、図７は、送風性能を吸込口の大きさの影響で示す説明図、図８，図９は、開放風量比と有効換気量比に対する騒音値比較を示す説明図である。
【００１２】
本実施の形態の換気装置は、図１に示すように室内外を仕切る隔壁（壁体）１を貫通するパイプやダクト等で構成される貫通孔２に設置されるもので、軸流式送風機３を貫通孔２に差込み装着される本体フレーム４の風洞５に組付けた換気装置である。風洞５の室内側にはベルマウス状に拡開する主吸込口６と、主吸込口６の外周に続く平面部分を構成するフランジ７を有する。風洞５の室外側には、数本の取付脚８が中心線に沿って延び、この取付脚８の端部から中心に向って延びる脚に一体にモーターカバー９が形成されている。モーターカバー９は、軸流式送風機３のモーター１０の回転軸側の外郭を包み、モーター１０は、その回転軸がモーターカバー９から風洞５の中心線上に突き出すように脚においてネジ固定されている。風洞５に突き出した回転軸には風洞５内で回転する羽根車１１が装着されている。
【００１３】
風洞５のフランジ７及び主吸込口６の前面は、フランジ７に対向する正方形（丸形でも構わない）の装飾パネル１２で所定の間隔をもって覆われている。装飾パネル１２は、風洞５のフランジ７の外側に嵌め装着された枠状のパネルフレーム１３の四コーナー部に設けられた四本の脚部１４端に係止構造により取付けられている（図３参照）。この装飾パネル１２の周側部は室内の空気を四方向から取入れる吸込口１５として隔壁に沿って室内に開放している。装飾パネル１２の背面には、三次元多孔質の合成樹脂よりなる略中空円錐状の案内部材１６が、装飾パネル１２の背面から連なる斜面部分に続く頂点部分１７が風洞５の主吸込口６の略中心に向って突出するように設けられている。案内部材１６にはその斜面部分を脚部１４の対角線上で放射状（直線状）に四つに仕切る仕切板１８が設けられている。仕切板１８の高さ寸法は、吸込口１５の軸方向寸法の１／２程度かそれより大きく構成され、高さは案内部材１６の頂点部分１７より同等もしくは低くなっている。装飾パネル１２自体は、外周部が背面側にフランジ形状にされた薄い箱形状で、この背面に案内部材１６と仕切板１８を一体成形した黒色系統の色調にした案内仕切部材１９が装着されている。案内仕切部材１９の外形部は、装飾パネル１２の外形寸法よりわずかに小さく形成され、装飾パネル１２背面のフランジ形状の空間部を小さくしている。
【００１４】
案内仕切部材１９には、四方向に開口する各吸込口１５を各々開閉できる可動シャッター２０が備えられている。各可動シャッター２０は、ブレード２１に回動軸２２を設けた構成で、四本の脚部１４間に回動可能に設けられている。回動軸２２を軸支する軸支部２３が案内仕切部材１９に形成され、ブレード２１を、吸込口１５を閉じる状態から閉止する状態まで回動させることができる。回動軸２２と軸支部２３とはノッチによる係合構造により位置保持可能に回動でき、ブレード２１を中間開度位置にも保持することができる。全閉状態のブレード２１は、案内仕切部材１９の平面部に密着し、吸込口１５から吸込まれる気流の流れを邪魔しない。また、中間開度位置では、ブレード２１は水平面あるいは垂直面に対して略４５度の傾きになり、主吸込口６へ気流を円滑に導くことができる。下側の可動シャッター２０で下側の吸込口１５を閉止したときは、利用者から装飾パネル１２の内側が視認できなくなり、また、主吸込口６周りに付着する塵埃もブレード２１上に落下し、室内への落下が防止されるため使用感も向上する。なお、可動シャッター２０は、スライド式に構成し、吸込口１５を全閉か全開のいずれかにできるようにしても良い。
【００１５】
この換気装置では、各可動シャッター２０を全開させ四方向の全ての吸込口１５を開放させた状態では、さまざまな方向から側部側と上側の吸込口１５へ室内の空気が導入される。導入された空気は、案内仕切部材１９の仕切板１８により四方向（上側、下側、左側、右側）に等分され、吸込み方向を統一されて案内部材１６の斜面部分に案内され、乱流を発生することなく風洞５の主吸込口６に均一化されて吸込まれる。これにより、装飾パネル１２の室内側の突出寸法を小さくしても軸流式送風機３の前面に吸込み開口を有するものと同等の送風性能を得ることができる。案内仕切部材１９は、可動シャッター２０も含め黒色系統の色調であり、塵埃の付着が目立たない。また、風洞５の主吸込口６は、吸込口１５から案内仕切部材１９に妨害されて見えにくく、主吸込口６が開口しているのが直接目視できるものに比べ室内雰囲気を損なわない。清掃についても仕切板１８は平板で、吸込口１５から容易に清掃することができる。
【００１６】
換気風量を少し抑えたい場合には、四方向に開口する吸込口１５のいくつかを可動シャッター２０で閉止又は中間開度にする。これにより、閉止されない吸込口１５及び中間開度にした吸込口１５へ室内の空気が導入される。導入された空気は、仕切板１８により二方向又は一方向に分かれ、吸込み方向を統一されて案内部材１６の斜面部分に案内され、乱流を発生することなく風洞５の主吸込口６に均一化されて吸込まれる。これにより、静圧低下を殆ど招かず換気風量を調整することができ、常時換気を行う換気装置として一台で部屋の広さや用途に応じた換気風量に調整できる利便性の良いものとなる。
【００１７】
この換気装置の送風性能を格子グリル、装飾パネルで案内仕切部材の有無のものと比較して図６に示す。軸流式送風機３のモーター１０は、コンデンサーランモーターで、消費電力２Ｗ程度の非常に省電力のものである。その外径部分でφ４４ｍｍ、フランジ部分の最大径でφ４８ｍｍと非常に小型である。モーターカバー９の外径寸法は、モーター１０のフランジ部分の最大径とほぼ一致させてφ４８ｍｍとしている。一般的な塩ビダクト（隔壁１を貫通するパイプ）の内径寸法は、ＶＵ１００はφ１０７ｍｍ、ＶＰ１００はφ１００ｍｍであるが、これより一回り小さなものとしては、ＶＵ７５で内径寸法φ８３ｍｍのものがある。これに取付け可能な換気装置の主要寸法は次の通りである。風洞５の外径寸法は、モーターリード処理も含めφ７８ｍｍ程度、内径はφ７３ｍｍ程度、羽根車１１の羽根外径寸法はφ６８ｍｍ程度、羽根車１１の軸方向寸法は３０ｍｍ程度、ベルマウスの丸みはＲ８程度、ベルマウスの平面部分から羽根車１１の外形先端部分の入り込み寸法は４ｍｍ程度である。以下の説明はモーター１０のパワーの影響を除くため、回転数は２５００／ｍｉｎ一定の送風性能である。
【００１８】
吸込口１５の軸方向寸法は、２２ｍｍ、仕切板１８の高さ寸法は１５ｍｍである（図１のＡ参照）。装飾パネル１２の軸方向寸法は６ｍｍ、その背面のフランジ形状部分の空間部は４ｍｍである。図６において記号−はグリルの無い、図２における本体フレーム４部分のみの構造である。記号○は、前面部に大きな開口を有する格子グリルを付けたもので、格子の幅は２．５ｍｍ、格子間隔は４．５ｍｍである。グリルの無い状態の特性に比べ、格子グリル付きの特性は、前面部に大きな開口を有しているため、軸流式送風機３の吸込み部の全面より吸込み、空気に偏りがないため、格子グリル部分の圧損分だけの送風性能が悪化する。そして、格子グリルの影響により騒音値は、３ｄＢ程度は上昇するものの、送風性能の悪化は通常の配管状態であるダクト１０ｍ相当の圧損が印加された状態、すなわち、送風性能曲線とダクト抵抗曲線の交点である取付状態風量は３％程度の低下で全閉圧（締め切り静圧）はほとんど変わらない。このため、外風が印加され、（例えば外風５ｍ／ｓ程度印加）この静圧として１５Ｐａ程度がダクト１０ｍ相当より余分に印加された状態においても、格子グリルが無い単体特性でも、格子グリル付きの場合であっても１０ｍ３／ｈ程度の換気が可能となる。
【００１９】
次に、記号◇は前面の装飾パネル１２のみで案内仕切部材１９の無い換気装置の場合で、送風性能は、前述した格子グリルが取付けられた状態と比べ、開放域から中風量域にかけてさほど低下していない。このため、ダクト１０ｍ程度印加した取付状態風量は１０％低下する程度であり、グリルが無い状態と比較しても１２％程度低下するだけである。しかし、中風量域（風量２０〜１０ｍ３／ｈ程度の領域）から全閉域（風量０〜５ｍ３／ｈ程度の領域）にかけては送風性能は格子グリル付きの場合に比べ大幅に低下し、全閉域においては１／３程度になる。これは、前面の装飾パネル１２のみのため、全閉域においては、主に羽根車１１の中央部分の風の流れが乱れるためである。このため、外風が印加され、（例えば外風５ｍ／ｓ程度印加）この静圧として１５Ｐａ程度がダクト１０ｍ相当より余分に印加された状態においては、送風性能の最も高い静圧でも８Ｐａしかないため、換気装置の換気能力より外風の力が勝るため外風は室内へ入りこんでしまう。外風が３．７ｍ／ｓ程度に低下し、この静圧として８．２Ｐａ程度がダクト１０ｍ相当より余分に印加された状態においては、送風性能の最も高い静圧は８Ｐａしかないため、換気装置の換気能力と、外風の力が同等になり、非常に不安定な状態となって、外風が室内側に入りこんだり、わずかに換気したりする状態を繰り返してしまう。
【００２０】
次に、記号◆のこの実施の形態の換気装置の場合を説明する。仕切板１８の高さＡ＝１２ｍｍである。前述した前面に装飾パネル１２だけ付けたものの場合に比べ、開放域から中風量域の送風性能は前述の案内仕切部材１９の無い換気装置の場合とほぼ同一になる。また騒音値についても同程度になった。中風量域から全閉域にかけては送風性能は大幅に改善され、格子グリル付きの場合に比べると、わずかに及ばないものの装飾パネル１２だけの場合に比べると全閉圧は２倍程度になり、外風耐力は大幅に改善される。
【００２１】
仕切板１８の高さ寸法Ａが、吸込口１５の軸方向寸法２２ｍｍの１／２未満になると、中風量域から全閉域にかけての送風性能の改善はさほど期待できないが、１／２以上になれば、すなわちＡ＝１２ｍｍ程度にすれば、全閉圧は格子グリル付きの場合と装飾パネル１２だけの場合の中間程度になり、さらにＡ＝１５ｍｍ、２２ｍｍとすると全閉圧は徐々に上昇する。Ａ＝２２ｍｍになると、格子グリル付きの場合とほぼ同等になる。総合的に考えると仕切板１８の高さ寸法は、吸込口１５の軸方向寸法の１／２以上とすると効果的である。
【００２２】
次に換気風量の調整機能について説明する。建築基準法の改正により換気設備の設置義務化が定められ、居室などでも２４時間（常時）換気が必要となっている。その換気風量は部屋の大きさにより異なり、換気回数は０．５回／ｈ程度必要である。例えば６畳の部屋では、部屋の体積は部屋の高さが２．５ｍの場合、２５ｍ３程度となる。この場合、換気回数が０．５回／ｈの必要換気風量は１２．５ｍ３／ｈとなる。同様に部屋の広さが８畳の場合は、１６．５ｍ３／ｈ、１０畳の場合は、２０．６ｍ３／ｈ、１２畳の場合は、２５ｍ３／ｈとなる。
【００２３】
図７は、吸込口１５の大きさを変えた場合の送風性能を示す。また、ダクト１０ｍ相当の圧損特性も記す。この圧損特性は、ほぼ屋外フードの圧損と同等である。すなわち、送風性能と圧損特性の交点が実際に換気装置を隔壁に設置して屋外フードと組合わせた場合の有効換気量となる。図７において記号−はグリルの無い、図２における本体フレーム４部分のみの構造であり、図６の場合と同様である。記号■は、前述した装飾パネル付きで仕切板１８が２２ｍｍの場合で、吸込口１５になにも設けない場合であり、図６と同様である。記号●は、四方向の吸込口１５のうち下側のみ塞いだ場合である。すなわち、吸込口１５の面積は３／４となっている。この場合、吸込口１５に何も設けない場合と比較して開放風量は、８％しか低下しないが、有効換気量、すなわち屋外フードと組合わせた場合の換気風量は１５％低下する。
【００２４】
記号◆は、四方向の吸込口１５のうち下側と上側を塞いだ場合である。すなわち、吸込口１５の面積は１／２となっている。この場合、吸込口１５に何も設けない場合と比較して開放風量は４０％低下し、有効換気量は３７％低下する。記号□は、下側の吸込口１５を塞ぎ、上側の吸込口１５については可動シャッター２０を中間開度にして半分を塞いだ場合である。記号▲は、吸込口１５のうち下側と上側、そして一側を塞いだ場合である。すなわち、吸込口１５の面積は１／４となっている。この場合、吸込口１５に何も設けない場合と比較して開放風量は、５３％低下し、有効換気量は４３％低下する。記号◇は、四方向の吸込口１５のうち下側と上側を塞ぎ、そして左右側については可動シャッター２０を中間開度にし、半分を塞いだ場合である。すなわち、吸込口１５の面積は１／４となっている。この場合、吸込口１５に何も設けない場合と比較して開放風量は、６５％低下し、有効換気量は５５％低下する。このように、吸込口１５の塞がれる面積が少なくなるにつれ、開放風量及び有効換気量は低下するが、全閉圧についてはほぼ同等で推移する。
【００２５】
部屋の大きさが１６畳の場合には、例えば下側の吸込口１５を塞いで使用する。四方向に吸込口を持つだけの換気装置では、有効換気量は３０ｍ３／ｈとなり、必要換気量の２５ｍ３／ｈより２０％多くなる。本実施の形態の換気装置で、下側の吸込口１５を塞いで使用した場合、有効換気量は２５．５ｍ３／ｈとなり、余分に換気することはなくなる。適用範囲が１６畳までの換気装置として使用する場合には、下側の吸込口１５は開放しなくて固定式のシャッターとしても良い。また、部屋の大きさが例えば８畳の場合には、記号▲のように、吸込口１５のうち下側と上側、そして一側を塞いで使用し、必要換気量の１６．５ｍ３／ｈに対して、有効換気量１７ｍ３／ｈで運転すれば良い。
【００２６】
換気風量の調整を行った場合の騒音値について説明する。前述した仕切板１８の高さの変更の場合には騒音値はさほど変化しないが、この場合には風量が低下するにつれ騒音値は上昇する。図８、図９は、開放風量比と有効換気量比に対する騒音値比較を示す説明図で、運転回転数は２５００／ｍｉｎ一定である。図８は、横軸に開放風量比を、縦軸に騒音値（開放時）を示したものである。開放風量比が１．０のものが風量調整機能が無い場合である。開放風量比が小さくなるにつれ、すなわち吸込口１５の面積が小さくなるにつれ騒音値はほぼ直線的に上昇する。最も強く風量調整した場合では、風量調整しない場合と比べ４ｄＢ程度上昇するが、その絶対値は２５ｄＢ程度と非常に低いことから、可動シャッター２０による風量調整は実用的であり、一台の換気装置で部屋の大きさに対して有効換気量が調整できるため、この種の換気装置のような、例えば部屋の大きさにより機種選定する必要はなくなる。図９は、横軸に有効換気量比を、縦軸に騒音値（開放時）を示したものである。また、モーターパワーの変更による風量調整ではないため、風量を低下することによる消費の低下はないが、もともとの消費電力は２Ｗ程度と非常に低いため問題はない。さらには、風量調整を行った場合でもモーターパワーは変更していないため、全閉域の送風性能は低下することがなく、外風耐力も高くなる。
【図面の簡単な説明】
【００２７】
【図１】換気装置を取付け状態で示す縦断面図。（実施の形態１）
【図２】換気装置の分解斜視図である。（実施の形態１）
【図３】装飾パネルを示す正面視の分解斜視図である。（実施の形態１）
【図４】装飾パネルを示す背面視の分解斜視図である。（実施の形態１）
【図５】可動シャッター全開時の吸込口への吸込み空気の流れを示す斜視図である。（実施の形態１）
【図６】送風性能を他の換気装置と比較および仕切板の高さの影響を示す説明図である。（実施の形態１）
【図７】送風性能を吸込口の大きさの影響で示す説明図である。（実施の形態１）
【図８】開放風量比と有効換気量比に対する騒音値比較を示す説明図である。（実施の形態１）
【図９】開放風量比と有効換気量比に対する騒音値比較を示す説明図である。（実施の形態１）
【符号の説明】
【００２８】
１  隔壁、  ２  貫通孔、  ３  軸流式送風機、  ４  本体フレーム、  ５  風洞、  ６  主吸込口、  ７  フランジ、  １２  装飾パネル、  １４  脚部、  １５  吸込口、  １６  案内部材、  １７  頂点部分、  １８  仕切板、  １９  案内仕切部材、  ２０  可動シャッター。
【図１】
2008275192.tif 000003
【図２】
2008275192.tif 000004
【図３】
2008275192.tif 000005
【図４】
2008275192.tif 000006
【図５】
2008275192.tif 000007
【図６】
2008275192.tif 000008
【図７】
2008275192.tif 000009
【図８】
2008275192.tif 000010
【図９】
2008275192.tif 000011